(57)【要約】【課題】被写体の撮影部位に応じて放射線源を容易に変更することにより、該被写体に対する前記放射線源の配置の自由度を高めることが可能になると共に、システム全体を廉価に構成することができる。【解決手段】放射線画像撮影システム１０では、アーム部材１４０の先端部に取り付けられた装着部材１４２に対してＸ線源３０ａ、３０ｂを着脱自在とし、回診時に、被写体３４の撮影部位に応じて、装着部材１４２にＸ線源３０ａ、３０ｂを取り付け、取り付けたＸ線源３０ａ、３０ｂにより放射線画像情報の撮影を行う。【選択図】図１
2010022732.tif 000002
【特許請求の範囲】
【請求項１】
放射線を出力する放射線源と、
放射線画像情報の撮影が可能な設備内に設置され、前記放射線源が着脱自在であり、且つ、前記放射線源の配置を調整自在なアーム部材と、
前記放射線源を制御する制御装置と、
前記放射線源から被写体を介して照射された前記放射線を前記放射線画像情報として記録する放射線変換パネルと、
前記制御装置が搭載されて移動可能に構成された台車と、
を有することを特徴とする放射線画像撮影システム。
【請求項２】
請求項１記載のシステムにおいて、
前記台車に搭載され、前記放射線変換パネルに記録された前記放射線画像情報を読み取る読取装置をさらに有することを特徴とする放射線画像撮影システム。
【請求項３】
請求項２記載のシステムにおいて、
前記台車に搭載され、読み取った前記放射線画像情報を表示する表示装置をさらに有することを特徴とする放射線画像撮影システム。
【請求項４】
請求項３記載のシステムにおいて、
前記台車に搭載され、且つ、前記制御装置、前記読取装置及び前記表示装置に電力を供給するバッテリをさらに有することを特徴とする放射線画像撮影システム。
【請求項５】
請求項１〜４のいずれか１項に記載のシステムにおいて、
前記制御装置は、所定の撮影条件を設定するコンソールと、該コンソールで設定した前記撮影条件に基づいて、前記アーム部材に装着された前記放射線源を制御する放射線源制御装置とから構成されることを特徴とする放射線画像撮影システム。
【請求項６】
請求項５記載のシステムにおいて、
前記台車に搭載された送信手段と、前記設備内に設置され且つ前記アーム部材に装着された前記放射線源に接続可能な受信手段とをさらに有し、
前記放射線源制御装置は、前記撮影条件に基づき、前記送信手段及び前記受信手段を介して、前記アーム部材に装着された前記放射線源を制御することを特徴とする放射線画像撮影システム。
【請求項７】
請求項１〜６のいずれか１項に記載のシステムにおいて、
前記アーム部材に装着された前記放射線源に電力を供給する電源をさらに有することを特徴とする放射線画像撮影システム。
【請求項８】
請求項１〜７のいずれか１項に記載のシステムにおいて、
前記放射線変換パネルは、蓄積性蛍光体パネルであることを特徴とする放射線画像撮影システム。
【請求項９】
請求項１〜７のいずれか１項に記載のシステムにおいて、
前記放射線変換パネルは、前記被写体を介して照射された前記放射線を電気信号に変換し、変換した前記電気信号を前記放射線画像情報として出力する放射線変換パネル、あるいは、前記被写体を介して照射された前記放射線が静電潜像として蓄積記録される放射線変換パネルであることを特徴とする放射線画像撮影システム。
【発明の詳細な説明】
【技術分野】
【０００１】
本発明は、放射線源から被写体を介して放射線変換パネルに放射線を照射することにより該放射線変換パネルに放射線画像情報を記録する放射線画像撮影システムに関する。
【背景技術】
【０００２】
医療分野において、被写体に放射線を照射し、該被写体を透過した前記放射線を放射線変換パネルに導いて放射線画像情報を撮影する放射線画像撮影システムが広汎に使用されている。前記放射線変換パネルとしては、例えば、蛍光体に放射線画像情報としての放射線エネルギを蓄積し、励起光を照射することで該放射線画像情報を輝尽発光光として取り出すことのできる蓄積性蛍光体パネルが知られている。この場合、前記放射線画像情報が記録された前記蓄積性蛍光体パネルを読取装置に供給して読取処理を行うことで、可視画像を得ることができる。
【０００３】
ところで、病院内の回診時等には、被写体に対する放射線画像情報の撮影処理を効率よく遂行できることが望まれている。そこで、特許文献１には、放射線を出力する放射線源を、病室内の天井に配設した軌道（走行レール）に沿って移動可能に構成することが提案されている。また、特許文献２には、移動型のＸ線画像撮影装置に連結されたＣアームの一端部にＸ線管球（放射線源）を固定し、他端部に画像検出部を着脱可能に装着することが提案されている。
【０００４】
【特許文献１】特開２００８−８６４４８号公報
【特許文献２】特開２００５−４７０号公報
【発明の開示】
【発明が解決しようとする課題】
【０００５】
しかしながら、特許文献１の技術では、被写体のいる病室毎に放射線源を配置しなければならないので、システム全体を廉価に構成することが困難である。また、被写体の撮影部位に応じて放射線源を構成するターゲットやフィルタを変更する必要があるが、特許文献１の技術では、被写体の撮影部位に応じて前記ターゲットや前記フィルタを変更することを意図していない。そのため、前記被写体の撮影部位に応じて前記ターゲットや前記フィルタを変更する場合には、前記ターゲット及び前記フィルタが互いに異なる複数の放射線源を軌道に予め装着しておき、前記被写体の撮影部位に応じて撮影処理に使用する放射線源を選択する必要があるので、コストがかかる。
【０００６】
一方、特許文献２では、放射線源がＣアームに固定されているので、被写体の撮影部位に応じてターゲットやフィルタを変更することができず、従って、該被写体に対する前記放射線源の配置の自由度が制約される。
【０００７】
本発明は、前記の不具合を解消するためになされたものであって、被写体の撮影部位に応じて放射線源を容易に変更することにより、該被写体に対する前記放射線源の配置の自由度を高めることが可能になると共に、システム全体を廉価に構成することができる放射線画像撮影システムを提供することを目的とする。
【課題を解決するための手段】
【０００８】
本発明に係る放射線画像撮影システムは、放射線を出力する放射線源と、放射線画像情報の撮影が可能な設備内に設置され、前記放射線源が着脱自在であり、且つ、前記放射線源の配置を調整自在なアーム部材と、前記放射線源を制御する制御装置と、前記放射線源から被写体を介して照射された前記放射線を前記放射線画像情報として記録する放射線変換パネルと、前記制御装置が搭載されて移動可能に構成された台車とを有することを特徴とする。
【発明の効果】
【０００９】
本発明によれば、アーム部材に対して放射線源を着脱自在とし、回診時に、被写体の撮影部位に応じて前記アーム部材に放射線源を取り付け、取り付けた前記放射線源により放射線画像情報の撮影を行うことで、前記被写体の撮影部位に応じて前記アーム部材に装着される放射線源を容易に変更することが可能となり、前記被写体に対する前記放射線源の配置の自由度を高めることができる。また、前記被写体のいる病室毎に放射線源を設置することが不要となるので、該放射線源を共有化することが可能となり、システム全体を廉価にすることができる。
【発明を実施するための最良の形態】
【００１０】
図１に示すように、本実施形態に係る放射線画像撮影システム１０は、車輪１４を備えることにより病院内の病室等を移動可能な台車１２と、該台車１２に搭載された読取装置１６、コンソール１８、表示装置１９、Ｘ線源制御装置２０、送受信機２２ａ、２２ｂ、バッテリ２４及び後述するＸ線照射スイッチ９４と、蓄積性蛍光体パネル（放射線変換パネル）３８を収納するカセッテ（放射線変換器）３６と、被写体３４のいる病室等の施設の天井部分１３０に配設された走行レールとしての軌道１３２と、この軌道１３２に装着されたベース１３８に取り付けられたアーム部材１４０と、該アーム部材１４０の先端部に取り付けられた装着部材１４２に装着自在なＸ線源（放射線源）３０ａ、３０ｂとを有する。
【００１１】
Ｘ線源制御装置２０と共に制御装置を構成するコンソール１８は、放射線画像情報を撮影するための撮影条件等を入力し、あるいは、撮影条件等を外部から取得することにより、該撮影条件を設定する。Ｘ線源制御装置２０は、コンソール１８から供給された撮影条件に従って、アーム部材１４０の装着部材１４２に装着されたＸ線源３０ａを制御する。この場合、Ｘ線源制御装置２０が送受信機（送信手段）２２ａに接続され、軌道１３２に装着された送受信機（受信手段）２３が信号線１３６を介してＸ線源３０ａに接続されているので、Ｘ線源制御装置２０は、送受信機２２ａ、２３間の無線通信及び信号線１３６による有線通信を介してＸ線源３０ａを制御する。２つのＸ線源３０ａ、３０ｂは、ターゲット及びフィルタが互いに異なる放射線源であり、被写体３４の撮影部位に応じて、Ｘ線源３０ａ又はＸ線源３０ｂを装着部材１４２に装着する。なお、図１は、Ｘ線源３０ａを装着部材１４２に装着した場合を図示しており、以下の説明では、主として、装着部材１４２にＸ線源３０ａを装着した場合について説明する。
【００１２】
ベース１３８は、軌道１３２に沿って移動可能に装着されている。従って、ベース１３８に取り付けられたアーム部材１４０は、軌道１３２に沿って移動可能であると共に、装着部材１４２に装着されたＸ線源３０ａの配置を調整自在である。
【００１３】
図１及び図２に示すように、アーム部材１４０の先端側には、Ｘ線源３０ａが装着される装着部材１４２が軸支されている。装着部材１４２は、Ｕ字状の固定部材１５４と、固定部材１５４の外側面に配設された２つの取手１５６と、固定部材１５４の内方に形成された４つの凹部１５８とを有する。一方、Ｘ線源３０ａの側面には、凹部１５８に嵌合可能な４つの突起部１４４が形成され、Ｘ線源３０ａの上面に形成された凹部１４６内には、コネクタ１４８が配設されている。
【００１４】
ここで、Ｘ線源３０ａを装着部材１４２に装着すると、装着部材１４２の各凹部１５８にＸ線源３０ａの各突起部１４４がそれぞれ嵌合すると共に、コネクタ１４８に対して信号線１３６及び電力線１３４がそれぞれ接続される。従って、装着部材１４２に装着されたＸ線源３０ａには、電源２６から電力線１３４及びコネクタ１４８を介して電力が供給可能となる。また、Ｘ線源制御装置２０から送受信機２２ａ、２３、信号線１３６及びコネクタ１４８を介してＸ線源３０ａが制御可能となる。
【００１５】
図１において、装着部材１４２に装着されたＸ線源３０ａは、Ｘ線源制御装置２０からの制御に基づいて、被写体３４にＸ線３２を照射する。カセッテ３６内の蓄積性蛍光体パネル３８は、被写体３４を透過したＸ線３２を放射線画像情報として蓄積記録する。読取装置１６は、カセッテ３６が装填されると、該カセッテ３６内に収納された蓄積性蛍光体パネル３８に蓄積記録されている放射線画像情報を読み取る。表示装置１９は、読取装置１６が読み取った放射線画像情報に基づく可視画像を表示する。送受信機２２ｂは、外部から必要な情報を取得し、さらには、読取装置１６が読み取った放射線画像情報を外部に送信することも可能である。バッテリ２４は、コンソール１８、表示装置１９、Ｘ線源制御装置２０及び送受信機２２ａ、２２ｂに電力を供給する。なお、バッテリ２４は、必要に応じて外部から充電可能である。
【００１６】
図３に示すように、読取装置１６に装填されるカセッテ３６は、開閉自在な蓋部材４０を有すると共に、当該カセッテ３６を識別するためのＩＤ情報が記録された図示しないバーコードが装着されている。
【００１７】
読取装置１６は、ケーシング４１の上部にカセッテ装填部４２を備え、このカセッテ装填部４２には、矢印方向にスライド自在な蓋部材４４が配設される。放射線画像情報が記録された蓄積性蛍光体パネル３８を収納したカセッテ３６は、蓋部材４０を下にした状態でカセッテ装填部４２に装填される。なお、ケーシング４１は、外部からのＸ線３２（図１参照）の侵入を阻止すべく、鉛等の重金属を含む材料で形成される。
【００１８】
カセッテ装填部４２には、カセッテ３６に装着されているバーコードを読み取るバーコードリーダ４６と、カセッテ３６の蓋部材４０のロックを解除するロック解除機構４８と、カセッテ３６から蓄積性蛍光体パネル３８を吸着して取り出す吸着盤５０と、吸着盤５０によって取り出された蓄積性蛍光体パネル３８を挟持搬送するニップローラ５２とが配設される。
【００１９】
ニップローラ５２に連設して、複数の搬送ローラ５４ａ〜５４ｇ及び複数のガイド板５６ａ〜５６ｆが配設され、これらにより湾曲搬送路６０が構成される。湾曲搬送路６０は、カセッテ装填部４２から下方向に延在した後、最下部において略水平状態となり、次いで、略鉛直上方向に延在する。なお、湾曲搬送路６０の各位置は、Ｘ線源３０を用いた撮影時において蓄積性蛍光体パネル３８を待避させる待避部として機能する。また、湾曲搬送路６０の所定部位には、搬送される蓄積性蛍光体パネル３８を検出するセンサ５８ａ〜５８ｄが配設される。
【００２０】
ニップローラ５２と搬送ローラ５４ａとの間には、読取処理が終了した蓄積性蛍光体パネル３８に残存する放射線画像情報を消去するための消去ユニット６２が配設される。消去ユニット６２は、消去光を出力する冷陰極管からなる複数の消去光源６４を有する。
【００２１】
一方、湾曲搬送路６０の最下部に配設される搬送ローラ５４ｄ、５４ｅ間には、プラテンローラ７０が配設される。そして、プラテンローラ７０の上部には、蓄積性蛍光体パネル３８に蓄積記録された放射線画像情報を読み取る走査ユニット６６が配設される。
【００２２】
走査ユニット６６は、励起光であるレーザビーム７８を導出して蓄積性蛍光体パネル３８を搬送方向（副走査方向）と直交する方向（主走査方向）に走査する励起部６８と、レーザビーム７８によって励起されることで放出される放射線画像情報に係る輝尽発光光を集光する集光ガイド７２と、集光ガイド７２によって集光された輝尽発光光を電気信号に変換するフォトマルチプライヤ７４とを備える。なお、集光ガイド７２の一端部には、輝尽発光光の集光効率を高めるための集光ミラー７６が近接して配設される。
【００２３】
図４は、放射線画像撮影システム１０の制御ブロック図を示す。Ｘ線源制御装置２０には、医師又は放射線技師等の作業者の操作によって装着部材１４２（図１参照）に装着されたＸ線源３０ａを駆動し、Ｘ線３２を患者等の被写体３４に照射するＸ線照射スイッチ９４が接続される。
【００２４】
読取装置１６は、読取装置制御部８０を有し、該読取装置制御部８０には、読取装置１６の電源スイッチ８２、カセッテ３６を読取装置１６から排出させるためのカセッテ排出ボタン８８、カセッテ３６のバーコードを読み取るバーコードリーダ４６、走査ユニット６６（図３参照）を制御する走査ユニット制御部８４、消去ユニット６２を制御する消去ユニット制御部８６、湾曲搬送路６０を制御して蓄積性蛍光体パネル３８を搬送するパネル搬送制御部９０、並びに、走査ユニット６６が蓄積性蛍光体パネル３８から読み取った放射線画像情報に対して所定の画像処理を行うことにより、表示装置１９を介して作業者が確認可能な可視画像に変換する画像処理部（画像処理手段）９２とが接続される。
【００２５】
本実施形態に係る放射線画像撮影システム１０は、基本的には以上のように構成されるものであり、次に、その動作につき、図１〜図４を参照しながら説明する。
【００２６】
先ず、作業者は、被写体３４のいる病室等にまで台車１２を移動させた後、被写体３４の撮影部位に応じたＸ線源３０ａを装着部材１４２に装着し、取手１５６を操作して被写体３４に対し該Ｘ線源３０ａを所定位置に調整する。次に、作業者は、放射線画像撮影システム１０の電源を投入した後、撮影の準備を行う。
【００２７】
この場合、作業者がコンソール１８を操作して、回診中に撮影を行う被写体３４の名前、撮影方法等の撮影条件を入力し、あるいは、送受信機２２ｂを介して外部から撮影条件を取得すると共に、被写体３４の放射線画像情報をそれぞれ記録するカセッテ３６を選択して、該カセッテ３６に装着されているバーコードをそれぞれ読み取ることで、カセッテ３６のＩＤ情報を取得する。このようにして、撮影条件及びカセッテ３６のＩＤ情報が設定され、撮影準備が完了すると、Ｘ線源制御装置２０は、読取装置１６の読取装置制御部８０に撮影準備完了信号を出力する。
【００２８】
読取装置制御部８０は、Ｘ線源制御装置２０から撮影準備完了信号が入力されると、蓄積性蛍光体パネル３８を収納したカセッテ３６がカセッテ装填部４２に装填されているか否かを確認する。なお、カセッテ３６の有無は、例えば、カセッテ装填部４２に配設されているバーコードリーダ４６がカセッテ３６のバーコードを読み取ることができるか否かによって判定することができる。
【００２９】
カセッテ装填部４２にカセッテ３６が装填されていると判定された場合、読取装置制御部８０は、カセッテ３６内に蓄積性蛍光体パネル３８が収納されているか否かを確認する。この場合、読取装置１６では、カセッテ装填部４２に装填されたカセッテ３６から１枚の蓄積性蛍光体パネル３８のみがケーシング４１の内部に供給されて処理されるものとする。従って、例えば、パネル搬送制御部９０が湾曲搬送路６０を制御しておらず、あるいは、湾曲搬送路６０の所定部位に配設されたセンサ５８ａ〜５８ｄが蓄積性蛍光体パネル３８を検出していない場合、読取装置制御部８０は、蓄積性蛍光体パネル３８がカセッテ３６内に収納されていると判定することができる。
【００３０】
ここで、カセッテ装填部４２に装填されたカセッテ３６内に蓄積性蛍光体パネル３８が収納され、且つ蓋部材４０が閉蓋されてカセッテ装填部４２に対するカセッテ３６のロック状態が解除されている場合に、前記作業者は、カセッテ排出ボタン８８の操作後、該カセッテ３６をカセッテ装填部４２から抜き取って、図１に示すように、Ｘ線源３０ａに対向する被写体３４の直下に配置することができる。この場合、読取装置制御部８０は、カセッテ装填部４２に蓄積性蛍光体パネル３８が存在しない、すなわち、蓄積性蛍光体パネル３８が装填されたカセッテ３６が存在しないことを確認すると、Ｘ線源制御装置２０に対して撮影許可信号を出力する。
【００３１】
Ｘ線源制御装置２０は、撮影許可信号が入力された後、作業者の操作に起因してＸ線照射スイッチ９４からショット信号が入力されると、送受信機２２ａ、２３、信号線１３６及びコネクタ１４８（図２参照）を介してＸ線源３０ａを駆動して放射線画像情報の撮影を行う。その際、電源２６から電力線１３４及びコネクタ１４８を介してＸ線源３０ａに電力が供給されている。この結果、Ｘ線源３０ａから出力されたＸ線３２が被写体３４を透過し、カセッテ３６に収納された蓄積性蛍光体パネル３８に照射されて、放射線画像情報が蓄積性蛍光体パネル３８に蓄積記録される。撮影が終了すると、Ｘ線源制御装置２０は、撮影終了信号を読取装置制御部８０に出力する。
【００３２】
次に、作業者は、放射線画像情報が蓄積記録された蓄積性蛍光体パネル３８を収納したカセッテ３６を読取装置１６に装填する。これにより、バーコードリーダ４６が該カセッテ３６に装着されているバーコードを読み取ってカセッテ３６のＩＤ情報を取得した後、ロック解除機構４８により蓋部材４０のロックが解除されて開蓋される。次いで、吸着盤５０によってカセッテ３６内の蓄積性蛍光体パネル３８が吸着されて取り出され、ニップローラ５２により湾曲搬送路６０に供給される。湾曲搬送路６０を構成する搬送ローラ５４ａ〜５４ｇは、蓄積性蛍光体パネル３８を搬送する。
【００３３】
蓄積性蛍光体パネル３８が搬送ローラ５４ｄ、５４ｅ間を副走査搬送されると共に、励起部６８からのレーザビーム７８が蓄積性蛍光体パネル３８を主走査することにより、放射線画像情報の読み取りが行われる。すなわち、励起部６８から出力されたレーザビーム７８が蓄積性蛍光体パネル３８に照射されると、蓄積性蛍光体パネル３８から放射線画像情報に対応した輝尽発光光が出力され、前記輝尽発光光は、集光ガイド７２を介してフォトマルチプライヤ７４に導かれ、電気信号としての放射線画像情報に変換されて画像処理部９２に出力される。
【００３４】
なお、放射線画像情報が読み取られた蓄積性蛍光体パネル３８は、一旦ガイド板５６ｆ側まで搬送された後、再び走査ユニット６６の下部を介してカセッテ装填部４２側に戻される。カセッテ装填部４２側に戻された蓄積性蛍光体パネル３８は、ニップローラ５２と搬送ローラ５４ａとの間に配設されている消去ユニット６２を構成する消去光源６４から出力される消去光により、蓄積性蛍光体パネル３８に残存する放射線画像情報が除去される。残存する放射線画像情報の消去処理が終了した蓄積性蛍光体パネル３８は、ニップローラ５２及び吸着盤５０を用いてカセッテ３６に収納されて蓋部材４０が閉蓋された後、カセッテ排出ボタン８８が操作されることでカセッテ装填部４２から抜き取られ、次の撮影に使用される。
【００３５】
次に、画像処理部９２は、前記読み取られた放射線画像情報と、カセッテ３６のＩＤ情報とを含む可視画像を生成して、この可視画像をコンソール１８を介して表示装置１９に出力し、表示装置１９は、前記可視画像を表示する。作業者は、表示装置１９に表示された可視画像に基づいて、被写体３４の状態を概略的に把握する。
【００３６】
なお、画像処理部９２にて生成された可視画像は、送受信機２２ｂから無線通信により、病院内の放射線科において取り扱われる放射線画像情報やその他の情報を統括的に管理する放射線科情報システム（ＲＩＳ）、あるいは、病院内の医事情報を統括的に管理する医事情報システム（ＨＩＳ）に送信される。
【００３７】
以上説明したように、本実施形態に係る放射線画像撮影システム１０は、アーム部材１４０の先端部に取り付けられた装着部材１４２に対してＸ線源３０ａ、３０ｂを着脱自在とし、回診時に、被写体３４の撮影部位に応じて、装着部材１４２にＸ線源３０ａ、３０ｂを取り付け、取り付けたＸ線源３０ａ、３０ｂにより放射線画像情報の撮影を行うことで、被写体３４の撮影部位に応じて装着部材１４２に装着されるＸ線源３０ａ、３０ｂを容易に変更することが可能となり、被写体３４に対するＸ線源３０ａ、３０ｂの配置の自由度を高めることができる。また、被写体３４のいる病室毎にＸ線源３０ａ、３０ｂを設置することが不要となるので、Ｘ線源３０ａ、３０ｂを共有化することが可能となり、システム全体を廉価にすることができる。
【００３８】
また、蓄積性蛍光体パネル３８に記録された放射線画像情報を読み取る読取装置１６と、読み取った放射線画像情報を表示する表示装置１９とを台車１２に搭載することにより、病院内の回診時等において、作業員は、速やかに被写体３４の状態を概略的に把握することができる。
【００３９】
さらに、台車１２には、読取装置１６、撮影条件を設定するコンソール１８、表示装置１９、撮影条件に基づいて装着部材１４２に装着されたＸ線源３０ａ、３０ｂを制御するＸ線源制御装置２０、及び、送受信機２２ａ、２２ｂに対して、電力を供給するバッテリ２４がさらに搭載され、一方で、電源２６から電力線１３４及びコネクタ１４８を介して、装着部材１４２に装着されたＸ線源３０ａ、３０ｂに電力が供給されるので、回診時の被写体３４の撮影処理及び読取処理を容易に行うことができる。
【００４０】
さらにまた、Ｘ線源制御装置２０は、送受信機２２ａ、２３、信号線１３６及びコネクタ１４８を介して、装着部材１４２に装着されたＸ線源３０ａ、３０ｂを制御するので、Ｘ線源制御装置２０を搭載する台車１２と、装着部材１４２に装着されたＸ線源３０ａ、３０ｂとが離間していても、該Ｘ線源３０ａを確実に制御することができる。
【００４１】
上記の説明において、台車１２には、２つの送受信機２２ａ、２２ｂが搭載されているが、１つの送受信機で該送受信機２２ａ、２２ｂの機能を持たせてもよい。また、上記の説明では、電源２６から電力線１３４及びコネクタ１４８を介して装着部材１４２に装着されたＸ線源３０ａ、３０ｂに電力を供給しているが、この構成に代えて、バッテリ２４から送受信機２３、図示しない電力線及びコネクタ１４８を介して、装着部材１４２に装着されたＸ線源３０ａ、３０ｂに電力を供給してもよい。
【００４２】
なお、本発明は、上述した実施形態に限定されるものではなく、本発明の主旨を逸脱しない範囲で自由に変更できることは勿論である。
【００４３】
例えば、蓄積性蛍光体パネル３８に代えて、半導体素子を利用した下記の（１）〜（３）の形態からなる放射線変換パネルを適用することもできる。
【００４４】
（１） Ｘ線３２を感知して電荷を発生させるアモルファスセレン（ａ−Ｓｅ）等の物質からなる光電変換層を行列状の薄膜トランジスタのアレイ上に配置した構造の放射線検出器（放射線変換パネル）であって、撮影時に被写体３４を介して入射したＸ線３２の線量を前記光電変換層によって直接電気信号に変換し、変換した電気信号を放射線画像情報として出力する直接変換方式の放射線検出器を、蓄積性蛍光体パネル３８に代えて、カセッテ３６（電子カセッテ）に適用する。
【００４５】
（２）  上記（１）の直接変換方式とは異なり、入射したＸ線３２をシンチレータによって一旦可視光に変換した後、この可視光をアモルファスシリコン等の固体検出素子を用いて電気信号に変換し、変換した前記電気信号を放射線画像情報として出力するように構成した間接変換方式の放射線検出器（特許第３４９４６８３号公報参照）を、蓄積性蛍光体パネル３８に代えて、カセッテ３６（電子カセッテ）に適用する。
【００４６】
上記（１）及び（２）の場合には、前記放射線検出器が放射線画像情報を出力するので、例えば、電子カセッテとしてのカセッテ３６又はコンソール１８に画像処理部９２の機能を持たせることにより、台車１２への読取装置１６の搭載を省略することができる。
【００４７】
（３）  上記（１）及び（２）の方式とは異なる光変換方式の放射線検出器を利用して放射線画像情報を取得することもできる。この光変換方式の放射線検出器では、マトリクス状に配列された各固体検出素子（放射線変換パネル）に放射線が入射すると、その線量に応じた静電潜像が固体検出素子に蓄積記録される。静電潜像を読み取る際には、放射線検出器に読取光を照射し、発生した電流の値を放射線画像情報として取得する（特開２０００−１０５２９７号公報参照）。
【図面の簡単な説明】
【００４８】
【図１】本実施形態に係る放射線画像撮影システムの構成図である。
【図２】図１の装着部材及びＸ線源の拡大斜視図である。
【図３】図１の読取装置の内部構成図である。
【図４】図１の放射線画像撮影システムの制御ブロック図である。
【符号の説明】
【００４９】
１０…放射線画像撮影システム            １２…台車
１６…読取装置                          １８…コンソール
１９…表示装置                          ２０…Ｘ線源制御装置
２２ａ、２２ｂ、２３…送受信機          ２４…バッテリ
２６…電源                              ３０ａ、３０ｂ…Ｘ線源
３２…Ｘ線                              ３４…被写体
３６…カセッテ                          ３８…蓄積性蛍光体パネル
１３０…天井部分                        １３２…軌道
１３４…電力線                          １３６…信号線
１４０…アーム部材                      １４２…装着部材
１４４…突起部                          １４８…コネクタ
１５６…取手                            １５８…凹部
【図１】
2010022732.tif 000003
【図２】
2010022732.tif 000004
【図３】
2010022732.tif 000005
【図４】
2010022732.tif 000006